【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  乗り物の位置を示す情報を受信して、乗り物の位置を表示する運行表示装置と、
この運行表示装置に接続され、
上記運行表示装置から乗り物の位置を示す情報を受取り、この情報に基いて乗り物の位置が所定の範囲内に有るか否かを判断する判断手段と、
この判断手段により所定の範囲内に乗り物が無いと判断した場合に、カード処理機の利用を不可とする不許可手段と、
上記判断手段により所定の範囲内に乗り物が有ると判断した場合に、カード処理機の利用を許可する許可手段と、
この許可手段によりカード処理機の利用が許可されている状態において、カードに対して乗り物の乗車処理を実行する実行手段と、を備えたカード処理機と、
を具備したことを特徴とするカード処理システム。
【請求項２】  乗り物の位置を示す情報を受信して、乗り物の位置を表示する運行表示装置と、
この運行表示装置に接続され、
上記運行表示装置から乗り物の位置を示す情報を受取り、この情報に基いて乗り物の位置が所定の範囲内に有るか否かを判断する判断手段と、
この判断手段により所定の範囲内に乗り物が無いと判断した場合に、カード処理機の利用を不可とする不許可手段と、
上記判断手段により所定の範囲内に乗り物が有ると判断した場合に、カード処理機の利用を許可する許可手段と、
この許可手段によりカード処理機の利用が許可されている状態において、利用可能な乗り物の路線の系統を選択する選択手段と、
この選択手段により選択された乗り物の系統に対するカードによる乗車処理を実行する実行手段と、を備えたカード処理機と、
を具備したことを特徴とするカード処理システム。
【請求項３】  乗り物の位置を示す情報を受信して、乗り物の位置を表示する運行表示装置と、
この運行表示装置に接続され、
上記運行表示装置から乗り物の位置を示す情報を受取り、この情報に基いて乗り物の位置が所定の範囲内に有るか否かを判断する判断手段と、
この判断手段により所定の範囲内に乗り物が無いと判断した場合に、カード処理機の利用を不可とする不許可手段と、
上記判断手段により所定の範囲内に乗り物が有ると判断した場合に、カード処理機の利用を許可する許可手段と、
この許可手段によりカード処理機の利用が許可されている状態において、カードによる乗車処理を行う人数を指示する指示手段と、
この指示手段により指示された人数分の乗り物の乗車処理を実行する実行手段と、を備えたカード処理機と、
を具備したことを特徴とするカード処理システム。
【請求項４】  乗り物の位置を示す情報を受信して、乗り物の位置を表示する運行表示装置と、
この運行表示装置に接続され、
上記運行表示装置から乗り物の位置を示す情報を受取り、この情報に基いて乗り物の位置が所定の範囲内に有るか否かを判断する判断手段と、
この判断手段により所定の範囲内に乗り物が無いと判断した場合に、カード処理機の利用を不可とする不許可手段と、
上記判断手段により所定の範囲内に乗り物が有ると判断した場合に、カード処理機の利用を許可する許可手段と、
この許可手段によりカード処理機の利用が許可されている状態において、降車する停留所を指示する指示手段と、
この指示手段により指示された停留所で降車する場合の乗車料金をカードから引去ることにより乗車処理を実行する実行手段と、を備えたカード処理機と、
を具備したことを特徴とするカード処理システム。
【請求項５】  乗り物の位置を示す情報を受信して、乗り物の位置を表示する運行表示装置と、
この運行表示装置に接続され、
上記運行表示装置から乗り物の位置を示す情報を受取り、この情報に基いて乗り物の位置が所定の範囲内に有るか否かを判断する判断手段と、
この判断手段により所定の範囲内に乗り物が無いと判断した場合に、カード処理機の利用を不可とする不許可手段と、
上記判断手段により所定の範囲内に乗り物が有ると判断した場合に、カード処理機の利用を許可する許可手段と、
この許可手段によりカード処理機の利用が許可されている状態において、利用者の所持するカードにより乗り物の乗車券を発券する処理を実行する実行手段と、を備えたカード処理機と、
を具備したことを特徴とするカード処理システム。
【請求項６】  複数の系統の路線を運行する乗り物の乗降を行う乗り物のターミナルに設置され、
乗り物のターミナル内の各系統ごとに最終の乗り物が発車したか否かを判定する判定手段と、
この判定手段による判定結果に基いて、最終の乗り物が発車していない系統の乗車処理を許可する許可手段と、
この許可手段により乗車処理が許可されている系統の乗り物に対して、カードによる乗車処理を実行する実行手段と、
を具備したことを特徴とするカード処理機。
【請求項７】  複数の系統の路線を運行する乗り物の乗降を行う乗り物のターミナルに設置され、
乗り物のターミナル内の各系統ごとに最終の乗り物が発車したか否かを判定する判定手段と、
この判定手段による判定結果に基いて、最終の乗り物が発車していない系統の乗車処理を許可する許可手段と、
この許可手段により乗車処理が許可されている全ての系統から乗車する乗り物の系統を選択する選択手段と、
この選択手段により選択された乗り物の系統に対するカードによる乗車処理を実行する実行手段と、
を具備したことを特徴とするカード処理機。
【請求項８】  複数の系統の路線を運行する乗り物の乗降を行う乗り物のターミナルに設置され、
乗り物のターミナル内の各系統ごとに最終の乗り物が発車したか否かを判定する判定手段と、
この判定手段による判定結果に基いて、最終の乗り物が発車していない系統の乗車処理を許可する許可手段と、
この許可手段により乗車処理が許可されている系統の乗り物に対して、カードによる乗車処理を行う人数を指示する指示手段と、
この指示手段により指示された人数分の乗り物の乗車処理を実行する実行手段と、
を具備したことを特徴とするカード処理機。
【請求項９】  複数の系統の路線を運行する乗り物の乗降を行う乗り物のターミナルに設置され、
乗り物のターミナル内の各系統ごとに最終の乗り物が発車したか否かを判定する判定手段と、
この判定手段による判定結果に基いて、最終の乗り物が発車していない系統の乗車処理を許可する許可手段と、
この許可手段により乗車処理が許可されている系統の乗り物に対して、降車する停留所を指示する指示手段と、
この指示手段により指示された停留所で降車する場合の乗車料金をカードから引去ることにより乗車処理を実行する実行手段と、
を具備したことを特徴とするカード処理機。
【請求項１０】  複数の系統の路線を運行する乗り物の乗降を行う乗り物のターミナルに設置され、
乗り物のターミナル内の各系統ごとに最終の乗り物が発車したか否かを判定する判定手段と、
この判定手段による判定結果に基いて、最終の乗り物が発車していない系統の乗車処理を許可する許可手段と、
この許可手段により乗車処理が許可されている系統の乗り物に対して、利用者の所持するカードにより乗り物の乗車券を発券する処理を実行する実行手段と、
を具備したことを特徴とするカード処理機。
【手続補正２】
【補正対象書類名】明細書
【補正対象項目名】０００５
【補正方法】変更
【補正の内容】
【０００５】
【発明が解決しようとする課題】
上記したように、バスなどの乗り物内に設置したカード処理機で、利用者の所持するカードを処理する場合、乗り物の乗車口および降車口が混雑してしまうという問題点を解決するもので、利用者の所持するカードを処理して乗り物の乗降処理を行い、乗り物の乗車口および降車口の混雑を緩和することができるカード処理機およびカード処理システムを提供することを目的とする。
【手続補正３】
【補正対象書類名】明細書
【補正対象項目名】０００６
【補正方法】変更
【補正の内容】
【０００６】
【課題を解決するための手段】
この発明のカード処理システムは、乗り物の位置を示す情報を受信して、乗り物の位置を表示する運行表示装置と、この運行表示装置に接続され、上記運行表示装置から乗り物の位置を示す情報を受取り、この情報に基いて乗り物の位置が所定の範囲内に有るか否かを判断する判断手段、この判断手段により所定の範囲内に乗り物が無いと判断した場合に、カード処理機の利用を不可とする不許可手段、上記判断手段により所定の範囲内に乗り物が有ると判断した場合に、カード処理機の利用を許可する許可手段、およびこの許可手段によりカード処理機の利用が許可されている状態において、カードに対して乗り物の乗車処理を実行する実行手段を備えたカード処理機と、から構成されている。
【手続補正４】
【補正対象書類名】明細書
【補正対象項目名】０００７
【補正方法】変更
【補正の内容】
【０００７】
この発明のカード処理システムは、乗り物の位置を示す情報を受信して、乗り物の位置を表示する運行表示装置と、この運行表示装置に接続され、上記運行表示装置から乗り物の位置を示す情報を受取り、この情報に基いて乗り物の位置が所定の範囲内に有るか否かを判断する判断手段、この判断手段により所定の範囲内に乗り物が無いと判断した場合に、カード処理機の利用を不可とする不許可手段、上記判断手段により所定の範囲内に乗り物が有ると判断した場合に、カード処理機の利用を許可する許可手段、この許可手段によりカード処理機の利用が許可されている状態において、利用可能な乗り物の路線の系統を選択する選択手段、およびこの選択手段により選択された乗り物の系統に対するカードによる乗車処理を実行する実行手段を備えたカード処理機と、から構成されている。
【手続補正５】
【補正対象書類名】明細書
【補正対象項目名】０００８
【補正方法】変更
【補正の内容】
【０００８】
この発明のカード処理システムは、乗り物の位置を示す情報を受信して、乗り物の位置を表示する運行表示装置と、この運行表示装置に接続され、上記運行表示装置から乗り物の位置を示す情報を受取り、この情報に基いて乗り物の位置が所定の範囲内に有るか否かを判断する判断手段、この判断手段により所定の範囲内に乗り物が無いと判断した場合に、カード処理機の利用を不可とする不許可手段、上記判断手段により所定の範囲内に乗り物が有ると判断した場合に、カード処理機の利用を許可する許可手段、この許可手段によりカード処理機の利用が許可されている状態において、カードによる乗車処理を行う人数を指示する指示手段、およびこの指示手段により指示された人数分の乗り物の乗車処理を実行する実行手段を備えたカード処理機と、から構成されている。
【手続補正６】
【補正対象書類名】明細書
【補正対象項目名】０００９
【補正方法】変更
【補正の内容】
【０００９】
この発明のカード処理システムは、乗り物の位置を示す情報を受信して、乗り物の位置を表示する運行表示装置と、この運行表示装置に接続され、上記運行表示装置から乗り物の位置を示す情報を受取り、この情報に基いて乗り物の位置が所定の範囲内に有るか否かを判断する判断手段、この判断手段により所定の範囲内に乗り物が無いと判断した場合に、カード処理機の利用を不可とする不許可手段、上記判断手段により所定の範囲内に乗り物が有ると判断した場合に、カード処理機の利用を許可する許可手段、この許可手段によりカード処理機の利用が許可されている状態において、降車する停留所を指示する指示手段、およびこの指示手段により指示された停留所で降車する場合の乗車料金をカードから引去ることにより乗車処理を実行する実行手段を備えたカード処理機と、から構成されている。
【手続補正７】
【補正対象書類名】明細書
【補正対象項目名】００１０
【補正方法】変更
【補正の内容】
【００１０】
この発明のカード処理システムは、乗り物の位置を示す情報を受信して、乗り物の位置を表示する運行表示装置と、この運行表示装置に接続され、上記運行表示装置から乗り物の位置を示す情報を受取り、この情報に基いて乗り物の位置が所定の範囲内に有るか否かを判断する判断手段、この判断手段により所定の範囲内に乗り物が無いと判断した場合に、カード処理機の利用を不可とする不許可手段、上記判断手段により所定の範囲内に乗り物が有ると判断した場合に、カード処理機の利用を許可する許可手段、およびこの許可手段によりカード処理機の利用が許可されている状態において、利用者の所持するカードにより乗り物の乗車券を発券する処理を実行する実行手段を備えたカード処理機と、から構成されている。
【手続補正８】
【補正対象書類名】明細書
【補正対象項目名】００１１
【補正方法】変更
【補正の内容】
【００１１】
この発明のカード処理機は、複数の系統の路線を運行する乗り物の乗降を行う乗り物のターミナルに設置され、乗り物のターミナル内の各系統ごとに最終の乗り物が発車したか否かを判定する判定手段、この判定手段による判定結果に基いて、最終の乗り物が発車していない系統の乗車処理を許可する許可手段、およびこの許可手段により乗車処理が許可されている系統の乗り物に対して、カードによる乗車処理を実行する実行手段から構成されている。
【手続補正９】
【補正対象書類名】明細書
【補正対象項目名】００１２
【補正方法】変更
【補正の内容】
【００１２】
この発明のカード処理機は、複数の系統の路線を運行する乗り物の乗降を行う乗り物のターミナルに設置され、乗り物のターミナル内の各系統ごとに最終の乗り物が発車したか否かを判定する判定手段、この判定手段による判定結果に基いて、最終の乗り物が発車していない系統の乗車処理を許可する許可手段、この許可手段により乗車処理が許可されている全ての系統から乗車する乗り物の系統を選択する選択手段、およびこの選択手段により選択された乗り物の系統に対するカードによる乗車処理を実行する実行手段から構成されている。
【手続補正１０】
【補正対象書類名】明細書
【補正対象項目名】００１３
【補正方法】変更
【補正の内容】
【００１３】
この発明のカード処理機は、複数の系統の路線を運行する乗り物の乗降を行う乗り物のターミナルに設置され、乗り物のターミナル内の各系統ごとに最終の乗り物が発車したか否かを判定する判定手段、この判定手段による判定結果に基いて、最終の乗り物が発車していない系統の乗車処理を許可する許可手段、この許可手段により乗車処理が許可されている系統の乗り物に対して、カードによる乗車処理を行う人数を指示する指示手段、およびこの指示手段により指示された人数分の乗り物の乗車処理を実行する実行手段から構成されている。
【手続補正１１】
【補正対象書類名】明細書
【補正対象項目名】００１４
【補正方法】変更
【補正の内容】
【００１４】
この発明のカード処理機は、複数の系統の路線を運行する乗り物の乗降を行う乗り物のターミナルに設置され、乗り物のターミナル内の各系統ごとに最終の乗り物が発車したか否かを判定する判定手段、この判定手段による判定結果に基いて、最終の乗り物が発車していない系統の乗車処理を許可する許可手段、この許可手段により乗車処理が許可されている系統の乗り物に対して、降車する停留所を指示する指示手段、およびこの指示手段により指示された停留所で降車する場合の乗車料金をカードから引去ることにより乗車処理を実行する実行手段から構成されている。
【手続補正１２】
【補正対象書類名】明細書
【補正対象項目名】００１５
【補正方法】変更
【補正の内容】
【００１５】
この発明のカード処理機は、複数の系統の路線を運行する乗り物の乗降を行う乗り物のターミナルに設置され、乗り物のターミナル内の各系統ごとに最終の乗り物が発車したか否かを判定する判定手段、この判定手段による判定結果に基いて、最終の乗り物が発車していない系統の乗車処理を許可する許可手段、およびこの許可手段により乗車処理が許可されている系統の乗り物に対して、利用者の所持するカードにより乗り物の乗車券を発券する処理を実行する実行手段から構成されている。
【手続補正１３】
【補正対象書類名】明細書
【補正対象項目名】００６３
【補正方法】変更
【補正の内容】
【００６３】
【発明の効果】
以上詳述したように、この発明によれば、利用者の所持するカードを処理してバスなどの乗り物の乗降処理を行い、乗り物の乗車口および降車口の混雑を緩和することができるカード処理機およびカード処理システムを提供できる。